(57)【要約】      （修正有）【課題】平均的な複雑で、効率的な安全手段の実装と互換性がある、簡単で信頼できる時打ち機構を提供する。【解決手段】ウオッチ用時打ち機構１００であって、ムーブメントにより駆動される時間数取りカムと、爪ラチェットおよび繰返しラックピニオンを含む時打ち歯車セットと、時間数取りカムを読み取り、このピニオンを駆動するための、枢動する時間ラックと、爪ラチェットを駆動するために自動時打ちごとに始動させられるこはぜ８５とを含み、サイレントモードを含む別個のモードの中からユーザが特定の時打ちモードを選択するためのモード選択器機構を有し、モード選択器機構は、外部輪郭を有するカム９０の角度位置を規定し、サイレントモードでは、最大半径は、あらゆる自動時打ちを無効にするために、消音レバー６０のビーク６１を押し戻して、消音レバー６０の主アームがラチェットから離してこはぜ８５を動かす位置に消音レバー６０の向きを合わせる。【選択図】図９
2019053039.tif 000002
【特許請求の範囲】
【請求項１】
ムーブメント（２００）を備えるウオッチ（１０００）または時計（２０００）のための時打ち機構（１００）であって、前記時打ち機能（１００）は、前記ムーブメント（２００）により駆動されるように配列された少なくとも１つの基準歯車セット（１）を含み、少なくとも１つの前記基準歯車セット（１）は、時間数取りカム（１９０）であり、少なくとも１つの時打ち駆動歯車セット（２）は、爪ラチェット（２２）および繰返しラックピニオン（２４）を含み、前記時打ち機構（１００）は、前記ムーブメント（２００）の出力（３）と間接的に協働するように構成された少なくとも１つの枢動部分を含み、前記基準歯車セット（１）を読み取るためのフィーラーアーム、および前記繰返しラックピニオン（２４）を駆動するためのラックを含み、前記枢動部分の１つは、前記時間数取りカム（１９０）と協働するように配列された時間ラック（２０）であり、前記時打ち機構（１００）は、自動時打ちごとに始動させられるように、かつ前記爪ラチェット（２２）を駆動するように配列された主こはぜ（８５）をさらに含み、前記時打ち機構（１００）は、サイレントモードを含む少なくとも２つの別個の時打ちモードで動作することができ、前記時打ち機構（１００）は、ユーザがどの時打ちモードを使用すべきかを選ぶことができるようにし、かつ異なるモードのための特有の位置を有する少なくとも１つのカム（９０）の角度位置を制御する、ユーザが利用可能な選択器（９６）を備えるモード選択器機構（９）を含み、前記カム（９０）は、消音レバー（６０）に備わったビーク（６１）と協働するように配列され、かつ前記消音レバー（６０）の主アーム（６４）が、サイレントモードであらゆる自動時打ちを無効にするために前記爪ラチェット（２２）から離して前記主こはぜ（８５）を動かす位置に前記消音レバー（６０）の向きを合わせるように配列された、前記サイレントモードに対応するより大きな半径（９８Ｓ）の領域を含む、連続する外部フィーラーアーム支持輪郭（９８）を含む時打ち機構（１００）であって、前記モード選択器機構（９）は、前記選択可能モード（９３；９４；９５）の１つにそれぞれ対応するノッチ付部分（９３；９４；９５）を含む、少なくとも１つの前記前記平坦カム（９０）を含むことを特徴とし、前記ノッチ付部分は、動作の２方向の一方で力を増大させる必要がある、可変サイズのノッチに対応することを特徴とする時打ち機構（１００）。
【請求項２】
前記モード選択器機構（９）は、指定された前記時打ち機構のモードの数と同数の特有の位置を有することができる、または前記モードのいくつかだけに特有の位置を有する、少なくとも１つの前記カム（９０）を含むことを特徴とする、請求項１に記載の時打ち機構（１００）。
【請求項３】
中央または中央の近傍にある１つの特定のノッチは、ある時打ちモードから別の時打ちモードにユーザが不注意に変えるのを防止することによって安全性を確実にするために、端部ノッチよりも大きいことを特徴とする、請求項１に記載の時打ち機構（１００）。
【請求項４】
前記モード選択器機構（９）は、再生される異なる曲および／または１組の異なるゴングを区別するように配列された少なくとも１つの前記カム（９０）を含むことを特徴とする、請求項１に記載の時打ち機構（１００）。
【請求項５】
前記モード選択器機構（９）は、前記各時打ちモードに割り当てられた曲および／またはゴングを区別するための複数のノッチを含む少なくとも１つの前記カム（９０）を含むことを特徴とする、請求項１に記載の時打ち機構（１００）。
【請求項６】
前記モード選択器機構（９）は、１つの平面内に重ねられた、または並置された複数の前記カム（９０）を含むことを特徴とする、請求項１に記載の時打ち機構（１００）。
【請求項７】
前記モード選択器機構（９）は、前記時打ち駆動歯車セット（２）から離して前記主こはぜ（８５）を動かすことにより、および前記時間ラック（２０）が前記時間数取りカム（１９０）に到達するのを防止することにより、サイレントモードで前記時打ち機構を無効にするように配列されることを特徴とする、請求項１に記載の時打ち機構（１００）。
【請求項８】
前記時打ち機構（１００）は、前記時間ラック（２０）が前記時間数取りカム（１９０）に関する読取りを遂行すると前記爪ラチェット（２２）を駆動するように配列されたリピーターこはぜ（４０）を含むミニッツリピーター制御機器（４）を備えるミニッツリピーターを含むこと、および前記サイレントモードで、利用可能なエネルギーが時打ち機能を完了するのに十分であるという条件のもと、前記消音レバー（６０）の前記主アーム（６４）により、前記リピーターこはぜ（４０）が前記爪ラチェット（２２）に到達できるようになることを特徴とする、請求項１に記載の時打ち機構（１００）。
【請求項９】
前記時打ち機構（１００）は、１時間ごとおよび１５分ごとの自動時打ちのための、１５分ごとに正時時打ちを繰り返すグランド・ソヌリ・モードと、１時間ごとおよび１５分ごとの自動時打ちのための、１５分ごとに正時時打ちを繰り返すことのないプティット・ソヌリ・モードとを含むこと、ならびに前記時打ち機構（１００）は、プティット・ソヌリ・レバー（８０）であって、前記プティット・ソヌリ・モードが選択されたとき、前記プティット・ソヌリ・レバー（８０）が前記時間数取りカム（１９０）に向かって前記時間ラック（２０）が動くのを防止する位置に前記プティット・ソヌリ・レバー（８０）の向きを合わせて、１５分ごとに正時が時打ちされるのを防止するために、前記モード選択器機構（９）の前記カム（９０）に備わったカムピン（９７）と当接して協働するように配列された、前記プティット・ソヌリ・レバー（８０）を含むことを特徴とする、請求項１に記載の時打ち機構（１００）。
【請求項１０】
前記グランド・ソヌリ・モードが選択されたとき、前記カムピン（９７）は、前記プティット・ソヌリ・レバー（８０）により前記時間ラック（２０）が前記時間数取りカム（１９０）に向かって動くことができるようになる位置に前記プティット・ソヌリ・レバー（８０）の向きを合わせて、１５分ごとに正時が時打ちされることができるようになることを特徴とする、請求項９に記載の時打ち機構（１００）。
【請求項１１】
前記時打ち機構（１００）は、前記プティット・ソヌリ・レバー（８０）を持ち上げるように、かつ前記時間ラック（２０）が前記時間数取りカム（１９０）に向かって動くことができるようになるように配列された先端部（１３２）を備える涙型時間カム（１３１）を、前記出力（３）により駆動され、かつ１５分の自動時打ちを解除するように配列された４歯星車（１３０）の同軸上に含むことを特徴とする、請求項９に記載の前記時打ち機構（１００）に備わった時打ち機構（１００）。
【請求項１２】
前記時打ち機構（１００）は、利用可能なエネルギーが時打ち機能を完了するのに不十分であるとき、時打ち逆転レバー（５９）を枢動するように配列された停止機構（５）を含むこと、および前記時打ち逆転レバー（５９）は、利用可能なエネルギーが時打ち機能を完了するのに不十分であるとき、前記リピーターこはぜ（４０）が前記爪ラチェット（２２）に到達するのを防止するように、かつ前記利用可能なエネルギーが時打ち機能を完了するのに不十分であるとき、前記爪ラチェット（２２）から離して前記主こはぜ（８５）を動かすように配列された時打ち解放レバー（５５）の前記枢動を制御することを特徴とする、請求項８に記載の時打ち機構（１００）。
【請求項１３】
ムーブメント（２００）により自動時打ち機能を解除するための出力（３）を含む前記ムーブメント（２００）を備えるウオッチ（１０００）であって、前記ムーブメント（２００）は、少なくとも１つの基準歯車セット（１）を駆動するように配列され、前記ウオッチ（１０００）は、請求項１に記載の少なくとも１つの前記時打ち機構（１００）を含むウオッチ（１０００）。
【請求項１４】
ムーブメント（２００）により自動時打ち機能を解除するための出力（３）を含む前記ムーブメント（２００）を備える時計（２０００）であって、前記ムーブメント（２００）は、少なくとも１つの基準歯車セット（１）を駆動するように配列され、前記時計（２０００）は、請求項１に記載の少なくとも１つの前記時打ち機構（１００）を含む時計（２０００）。
【発明の詳細な説明】
【技術分野】
【０００１】
本発明は、ムーブメントを備えるウオッチまたは時計のための時打ち機構に関し、前記時打ち機構は、前記ムーブメントにより駆動されるように配列された少なくとも１つの基準歯車セットを備え、少なくとも１つの前記基準歯車セットは、時間数取りカムであり、少なくとも１つの時打ち駆動歯車セットは、爪ラチェットおよび繰返しラックピニオンを含み、前記時打ち機構は、前記ムーブメントの出力と間接的に協働するように配列された少なくとも１つの枢動部分を含み、前記基準歯車セットを読み取るためのフィーラーアーム、および前記繰返しラックピニオンを駆動するためのラックを含み、前記枢動部分の１つは、前記時間数取りカムと協働するように配列された時間ラックであり、前記時打ち機構は、自動時打ちごとに始動させられるように、かつ前記爪ラチェットを駆動するように配列された主こはぜをさらに含み、前記時打ち機構は、サイレントモードを含む少なくとも２つの別個の時打ちモードで動作することができ、前記時打ち機構は、ユーザがどの時打ちモードを使用すべきかを選ぶことができるようにし、かつ異なるモードのための特定の位置を有する少なくとも１つのカムの角度位置を制御する、ユーザが利用可能な選択器を備える時打ち選択器モードを含み、前記カムは、消音レバーに備わったビークと協働するように配列された連続した外部フィーラーアーム支持輪郭を有し、連続する外部フィーラーアーム支持輪郭は、前記サイレントモードに対応する、より大きな半径の領域を有し、サイレントモードであらゆる自動時打ちを無効にするために、前記消音レバーの主アームは、前記爪ラチェットから離して前記主こはぜを動かす位置に前記消音レバーを向けるように配列される。
【０００２】
本発明はまた、ムーブメントにより自動時打ち機能を解除するための出力を含むムーブメントを備えるウオッチに関し、このムーブメントは、少なくとも１つの基準歯車セットを駆動するように配列され、ウオッチは、少なくとも１つのそのような時打ち機構を含む。
【０００３】
本発明はまた、ムーブメントにより自動時打ち機能を解除するための出力を含むムーブメントを備える時計に関し、このムーブメントは、少なくとも１つの基準歯車セットを駆動するように配列され、時計は、少なくとも１つのそのような時打ち機構を含む。
【０００４】
本発明は、ウオッチ、時計、またはオルゴールのための時打ち機構の分野に関する。
【背景技術】
【０００５】
時計の時打ち機構は大きな複雑機構であり、時打ち機構の構成要素の数、および構成要素の運動学に加え、時打ち機構の可能な動作モードに関しても複雑である。さまざまな時打ちモードの中からの選択は、それ自体、そのためにコラムホイールなどの費用のかかる構成要素が採用されるさらなる複雑機構であり、多くの場合この選択機能のために、１組のノッチを有するウオッチまたは時計のケースの内部で、かなりの空間が占有される。また、選択機構とケースの外部の間の界面は、特にしっかりと密封しなければならない。さまざまなモード間で安全機能を管理することは、常に複雑である。
【０００６】
ミニッツリピーターなどのさらなる複雑機構を有するウオッチについては、安全機能を管理することは、非常に複雑であり、ミニッツリピーターが鳴ることができるようにするために自動時打ち機能を停止すること、または逆に、自動時打ちが近づくときミニッツリピーターが解除されるのを停止させること、リピーターサイクルがちょうど開始したとき、この場合もミニッツリピーターが解除されるのを防止すること、時打ち機能の間に日の裏機構の調整を防止することなどは、これらの安全手段が一般に、機構および干渉のリスクをさらに複雑化する多数のアイソレータを採用するため、困難である。
【０００７】
ＰＡＴＥＫ  ＰＨＩＬＩＰＰＥの名前のスイス特許第７０６０８０（Ｂ１）号明細書は、機械的時計ムーブメントを取り囲むケースを含み、かつ機械的時計ムーブメントにより自動的に解除することができるリピーター機構を含む時計について開示しており、リピーター機構は、解除レバーであって、前記解除レバー上に枢動するように搭載されかつリピーター機構の均力車内に備わった爪ラチェットの歯部と係合するように配列されたこはぜを具備する、解除レバーを含み、その結果、自動的に解除されたとき、好ましくはムーブメントの筒かなと一体化した、ムーブメントの日の裏機構により駆動されるナットは、解除レバーを爪ラチェットに向かって枢動させ、その結果、解除レバーが下がるとき、こはぜビークは、爪ラチェットを順番に駆動し、リピーター機構は、時打ちモード選択機構を含む。この時打ちモード選択機構は、時計の外側から利用可能で、かつ一方が時打ちモードに対応し、他方がサイレントモードに対応する、少なくとも２つの位置の間で、時計ケースの周辺上で往復する動きでスライドするように搭載されたスライド片の形で形成された、動作部材を含む。
【０００８】
ＭＯＮＴＲＥＳ  ＢＲＥＧＵＥＴ  ＳＡの名前のスイス特許出願公開第７０４５９０（Ａ１）号明細書は、一方では、時計ムーブメントと、他方では、前記時計ムーブメントにより駆動される時間基準で時間情報を読み取るためのフィーラーアームを含む少なくとも１つの時打ち機構とを含む、時計のための分離機構を開示している。この分離機構は、第１の作動状態位置で時間情報フィーラーアームが時間基準に関する情報を探すのを防止する停止位置を採用するために、かつ第２の解除位置でフィーラーアームが時間基準を通過して時間基準と接触するようになることができるようにするために、時計に備わった制御機構と協働するように配列された少なくとも第１のアイソレータを含む。
【０００９】
ＲＩＣＨＥＭＯＮＴの名前のスイス特許第７１１２５８（Ａ２）号明細書は、時計時打ち機構のための選択器機器を開示しており、時打ち機構は、時打ち列により駆動可能であり、時打ち機構が常に作動している「時打ち」モード、時打ち機構が１日の所定の期間だけ無効になる「夜間」モード、または時打ち機構が常に無効になる「サイレント」モードになるように構成され、選択器機器は、２４時間で１回転完了しかつ前記所定の期間に必要な輪郭を有するカムと、時打ち機構が「時打ち」モードになるように第１のレバーがカムと協働しない位置である第１の位置と時打ち機構が「夜間」モードになるようにフィーラーアームがカムと協働する位置である第２の位置との間を切り替えるように構成された第１のレバーと、時打ち機構が時打ち列に接続された位置である第１の位置と時打ち機構が「サイレント」モードになるように時打ち機構が時打ち列から切断される位置である第２の位置との間を切り替えるように構成された第２のレバーとを含む。この選択器機器は、第１のレバーおよび第２のレバーを傾けて、時打ち機構を「時打ち」モード、「夜間」モード、または「サイレント」モードのうちの１つにするように作動させることができるプッシュレバーを備える。
【先行技術文献】
【特許文献】
【００１０】
【特許文献１】スイス特許第７０６０８０（Ｂ１）号明細書
【特許文献２】スイス特許出願公開第７０４５９０（Ａ１）号明細書
【特許文献３】スイス特許第７１１２５８（Ａ２）号明細書
【特許文献４】欧州特許出願公開第２９４７５２３（Ｂ１）号明細書
【特許文献５】欧州特許出願公開第１５１９０８０８．４号明細書
【特許文献６】欧州特許第１５１６８７００．１号明細書
【特許文献７】欧州特許出願公開第１５１８３１１０．４号明細書
【特許文献８】欧州特許出願公開第１６２０６５７２．６号明細書
【非特許文献】
【００１１】
【非特許文献１】Ｆｒａｎｃｏｉｓ  ＬＥＣＯＵＬＴＲＥ、『Ｌｅｓ  ｍｏｎｔｒｅ  ｓ  ｃｏｍｐｌｉｑｕｅｅｓ（Ａ  Ｇｕｉｄｅ  ｔｏ  Ｃｏｍｐｌｉｃａｔｅｄ  Ｗａ  ｔｃｈｅｓ（複雑なウオッチの案内書））』、Ｈｏｒｌｏｇｅｒｅｓ版、Ｂｉｅｎｎｅ（ス  イス）、１９８５年、ＩＳＢＮ２−８８１７５−０００−１
【発明の概要】
【発明が解決しようとする課題】
【００１２】
本発明は、平均的な複雑さの、効率的な安全手段の実装と互換性がある、簡単で信頼できる手法で時打ちモード選択を達成することを提案する。
【課題を解決するための手段】
【００１３】
この目的を達成するため、本発明は、請求項１に記載の時打ち機構に関する。
【００１４】
本発明はまた、ムーブメントにより自動時打ち機能を解除するための出力を含むムーブメントを備えるウオッチに関し、このムーブメントは、少なくとも１つの基準歯車セットを駆動するように配列され、ウオッチは、少なくとも１つのそのような時打ち機構を含む。
【００１５】
本発明はまた、ムーブメントにより自動時打ち機能を解除するための出力を含むムーブメントを備える時計に関し、このムーブメントは、少なくとも１つの基準歯車セットを駆動するように配列され、時計は、少なくとも１つのそのような時打ち機構を含む。
【００１６】
本発明の他の特徴および利点は、添付図面を参照して、以下の詳細な説明を読むと明らかになるであろう。
【００１７】
図１〜図８は、本発明による時打ち機構を、同じ位置で、２つずつ平面図で概略的に示し、奇数の図は裏側を示し、偶数の図は表側を示し、すべての構成要素を示すわけではなく、例示する機能を遂行するために不可欠な構成要素だけ見ることができる。
【００１８】
図１３〜図１８は、プティット・ソヌリ・モードで第１の曲を再生し、グランド・ソヌリ・モードで第１の曲と異なる第２の曲を再生するための、本発明による、時打ち選択およびモード選択を組み合わせる第１の時打ち機構の変形形態を、図１〜図８に類似する手法で示す。
【００１９】
図２０〜図２９は、各時打ちモードで、一方または他方により、第１の曲または第２の曲を再生することができるようになる、本発明による、時打ち選択およびモード選択を組み合わせる第２の時打ち機構の変形形態を、図１３〜図１８に類似する手法で示す。
【図面の簡単な説明】
【００２０】
【図１】プティット・ソヌリ・モードでの、本発明による時打ち機構を示す。
【図２】プティット・ソヌリ・モードでの、本発明による時打ち機構を示す。
【図３】グランド・ソヌリ・モードでの、本発明による時打ち機構を示す。
【図４】グランド・ソヌリ・モードでの、本発明による時打ち機構を示す。
【図５】サイレントモードでの、本発明による時打ち機構を示す。
【図６】サイレントモードでの、本発明による時打ち機構を示す。
【図７】グランド・ソヌリ・モードで停止した、本発明による時打ち機構を示す。
【図８】グランド・ソヌリ・モードで停止した、本発明による時打ち機構を示す。
【図９】サイレントモードで停止した、本発明による時打ち機構を示す。
【図１０】サイレントモードで停止した、本発明による時打ち機構を示す。
【図１１】図９の詳細である。
【図１２】本発明による時打ち機構の一揃いの主要な構成要素の、両側からの概略的平面図である。
【図１３】第１の曲を用いるプティット・ソヌリ・モードでの、本発明による時打ち機構を示す。
【図１４】第１の曲を用いるプティット・ソヌリ・モードでの、本発明による時打ち機構を示す。
【図１５】第２の曲を用いるグランド・ソヌリ・モードでの、本発明による時打ち機構を示す。
【図１６】第２の曲を用いるグランド・ソヌリ・モードでの、本発明による時打ち機構を示す。
【図１７】ミニッツリピーター制御機器を用いて第２の曲を再生することが可能な、サイレントモードでの、本発明による時打ち機構を示す。
【図１８】ミニッツリピーター制御機器を用いて第２の曲を再生することが可能な、サイレントモードでの、本発明による時打ち機構を示す。
【図１９】この第１の変形形態の時打ち機構の一揃いの主要な構成要素の、両側からの概略的平面図である。
【図２０】第１の曲を用いるプティット・ソヌリ・モードでの、本発明による時打ち機構を示す。
【図２１】第１の曲を用いるプティット・ソヌリ・モードでの、本発明による時打ち機構を示す。
【図２２】第２の曲を用いるプティット・ソヌリ・モードでの、本発明による時打ち機構を示す。
【図２３】第２の曲を用いるプティット・ソヌリ・モードでの、本発明による時打ち機構を示す。
【図２４】第１の曲を用いるグランド・ソヌリ・モードでの、本発明による時打ち機構を示す。
【図２５】第１の曲を用いるグランド・ソヌリ・モードでの、本発明による時打ち機構を示す。
【図２６】第２の曲を用いるグランド・ソヌリ・モードでの、本発明による時打ち機構を示す。
【図２７】第２の曲を用いるグランド・ソヌリ・モードでの、本発明による時打ち機構を示す。
【図２８】ミニッツリピーター制御機器を用いて第１の曲を再生することが可能な、サイレントモードでの、本発明による時打ち機構を示す。
【図２９】ミニッツリピーター制御機器を用いて第１の曲を再生することが可能な、サイレントモードでの、本発明による時打ち機構を示す。
【図３０】この第２の変形形態の時打ち機構の一揃いの主要な構成要素の、両側からの概略的平面図である。
【図３１】本発明による時打ち機構を備えるウオッチを示す構成図である。
【図３２】本発明による時打ち機構を備える音楽時計を示す構成図である。
【発明を実施するための形態】
【００２１】
本発明は、少なくとも１つの特有の時打ち機構１００を含むウオッチ１０００または時計２０００に関する。この時計２０００は、オルゴールであっても、オルゴールを含んでもよい。
【００２２】
『Ｌｅｓ  ｍｏｎｔｒｅｓ  ｃｏｍｐｌｉｑｕｅｅｓ（Ａ  Ｇｕｉｄｅ  ｔｏ  Ｃｏｍｐｌｉｃａｔｅｄ  Ｗａｔｃｈｅｓ（複雑なウオッチの手引き））』、Ｈｏｒｌｏｇｅｒｅｓ版、Ｂｉｅｎｎｅ（スイス）、１９８５年、ＩＳＢＮ２−８８１７５−０００−１と題されたＦｒａｎｃｏｉｓ  ＬＥＣＯＵＬＴＲＥの著作は、９７ページ〜２０５ページ（英語版の８５ページ〜１８１ページ）にかけて、時打ち機構を形成する基本機構について、異なる章で詳細に説明している。
−二度打ち時計
−旧式二度打ち時計
−最新のクオーターリピーター
−簡易化リピーター
−ハーフ・クオーター・リピーター
−ブレゲ−（Ｂｒｅｇｕｅｔ）・ハーフ・クオーター・リピーター
−５ミニッツリピーター
−ミニッツリピーター
−時打ち懐中時計
時打ち機構の専門家は、この一般的な参考図書で、詳細には前述の最後の２つの章でそのような機構の構造を探し出す方法を知っているので、必要がなければ本明細書ではこれらの基本機構について詳細に論じない。
【００２３】
本発明による時打ち機構１００は、従来の手法では、少なくとも１つの基準歯車セット１と、好ましくは時間基準数取りカムおよび／または星車、ならびに詳細には分数取りカム、１５分数取りカム、および時間数取りカム１９０を含む複数の基準歯車セット１とを含む。
【００２４】
この時打ち機構１００はまた、詳細には『複雑なウオッチの手引き』の「時打ち懐中時計」に関する章で説明され、詳細にはこの書籍の図４０で見ることができるように、少なくとも１つの時打ち駆動歯車セット２を含む。この時打ち駆動歯車セット２は従来、爪ラチェット２２および繰返しラックピニオン２４を含む。
【００２５】
時打ち機構１００は、ムーブメント２００と協働し、ムーブメント２００は、１つまたは複数の基準歯車セット１を駆動し、ムーブメント２００の特有の出力３は、ムーブメントにより時打ちを解除するための限定しない星車１３０の形で図に示されて筒かなの上にはめ込まれ、ムーブメントにより解除するための中間レバーを１５分ごとに持ち上げるために４つの歯を含み、この４つの歯を本明細書では以後送り爪７０と呼ぶ。
【００２６】
時打ち機構１００は、この送り爪７０を介してムーブメント２００の出力３と間接的に協働するように構成された少なくとも１つの枢動部分を含み、詳細には、そのような基準歯車セット１を読み取るためのフィーラーアーム、および繰返しラックピニオン２４を駆動するためのラックを含む。これらの枢動部分の１つは、時間数取りカム１９０と協働するように配列された時間ラック２０である。時打ち機構１００は、自動時打ちごとに始動させられるように、かつ可能なときには爪ラチェット２２を駆動するように配列された主こはぜ８５をさらに含む。
【００２７】
本発明による時打ち機構１００は、主要な時打ちモード、すなわち、グランド・ソヌリ（ｇｒａｎｄｅ  ｓｏｎｎｅｒｉｅ）、プティット・ソヌリ（ｐｅｔｉｔｅ  ｓｏｎｎｅｒｉｅ）、アラーム、サイレントのうちすべてまたは一部を含み、より詳細には、ミニッツリピーター機構を、詳細にはとりわけ『複雑なウオッチの手引き』の章「ミニッツリピーター」で説明されているようなミニッツリピーター機構を含む。
【００２８】
図に示す限定しない変形形態は、グランド・ソヌリ（ＧＳ）、プティット・ソヌリ（ＰＳ）、サイレント（Ｓｉｌｅｎｔ、Ｓ）という３つの時打ちモード、およびミニッツリピーターを含む。このミニッツリピーター機構は、詳細には、中に備わったフィーラーアーム２９を介して時間数取りカム１９０と協働するように配列された時間ラック２０を含む。
【００２９】
時打ち機構１００は、モード選択器機構９を含む。このモード選択器機構９は、ユーザがどの時打ちモードを使用すべきかを選ぶことができるようにし、かつ少なくとも１つのカム９０の角度位置を制御する、ユーザが利用可能な選択器９６を備える。
【００３０】
モード選択器機構９は、図に示す変形形態に示すように、指定された時打ち機構のモードの数と同数の特有の位置を有してもよい、またはこれらのモードの一部だけに特有の位置を含む、少なくとも１つのカム９０を含む。図示する変形形態は、選択可能なモードの１つに、すなわち、９３プティット・ソヌリ、９４グランド・ソヌリ、９５サイレントにそれぞれ対応する３つのノッチ付部分を含む平坦カム９０を示す。
【００３１】
より詳細には、本発明によれば、ノッチ付部分は、動作の２方向の一方で力を増大させる必要がある可変サイズのノッチである。より詳細には、１つの特定のノッチ、たとえば中央ノッチは、ある時打ちモードから別の時打ちモードにユーザが不注意に変えるのを防止することによって安全性を確実にするために、端部ノッチよりも大きい。
【００３２】
カム９０は、異なるモードのために特定の位置を占有する。このカム９０は、消音レバー６０に備わったビーク６１と協働するように配列された連続した外部フィーラーアーム支持輪郭９８を有する。この外部輪郭９８は、サイレントモードであらゆる自動時打ちを無効にするために、消音レバー６０の主アーム６４が爪ラチェット２２から離して主こはぜ８５を動かす位置に消音レバー６０の向きを合わせるように配列される、サイレントモードに対応するより大きな半径９８Ｓの領域を含む。
【００３３】
本発明は、本出願人による欧州特許出願公開第１５１９０８０８．４号明細書によるアラーム機構、本出願人による欧州特許第１５１６８７００．１号明細書による、時打ちまたは曲の選択および／または解除のための安全機構、本出願人による欧州特許出願公開第１５１８３１１０．４号明細書による、連結を解くことができる持ち上げ片を用いる曲選択機構、または本出願人による欧州特許出願公開第１６２０６５７２．６号明細書によるカリヨン時打ち機構を組み入れるとき、本出願人による欧州特許出願公開第２９４７５２３（Ｂ１）号明細書のように、詳細には、たとえば時打ちされた１５分を区別するために再生される異なる曲を区別しなければならないとき、または再生される異なるゴングを区別しなければならないときに、さらにより多くの別個のモードを選択するのに適していることが理解される。
【００３４】
したがって、カム９０は、複数のノッチ、すなわち、ＧＳ曲Ａ、ＧＳ曲Ｂ、ＰＳ曲Ａ、ＰＳ曲Ｂ、Ｓ、および／または同じくＧＳゴングＡ、ＧＳゴングＢ、ＰＳゴングＡ、ＰＳゴングＢ、Ｓを含むことができる。単一カムに対してあまりにも多くの異なるモードが存在するとき、モード選択機構９は、複数のカム９０を、特に、たとえば特定の曲、特定のゴング、またはその他の形で、これらのモードのいくつかにそれぞれ関連している、重なったカムを含むことができる。
【００３５】
そのような配置により、詳細には、再生される曲により、および／または使用されるゴングにより、時打ちモードを区別することが可能になる。たとえば、グランド・ソヌリ・モードは、第１の曲および／または第１組のゴングに対応し、プティット・ソヌリ・モードは、第２の曲および／または第２組のゴングに対応する。
【００３６】
異なるカム９０を、特に同軸上に、または１つの平面内に並置して重ねることができ、特に直列に配列することができることが理解される。
【００３７】
モード選択に加えて、ユーザが選択した１つのモードだけを時打ち機構１００が遂行することを確実にすることを意図して、モード選択器機構９は、時打ち駆動歯車セット２から離してこはぜを動かすことにより、サイレントモードで時打ち機構を無効にし、対応する数取りカムに時間ラックが到達するのを防止する。
【００３８】
詳細には、時打ち機構１００は、前記時間ラック２０が時間数取りカム１９０の読み出しを遂行すると爪ラチェット２２を駆動するように配列されたリピーターこはぜ４０を含むミニッツリピーター制御機器４を備えるミニッツリピーターを含む。そして、サイレントモードでは、利用可能なエネルギーが時打ち機能を完了するのに十分であるという条件のもと、消音レバー６０の主アーム６４により、リピーターこはぜ４０が爪ラチェット２２に到達できるようになる。
【００３９】
特定の実施形態では、時打ち機構１００は、１５分ごとに正時時打ちを繰り返す、１時間ごとおよび１５分ごとの自動時打ちのためのグランド・ソヌリ・モード、ならびに１５分ごとに正時時打ちを繰り返すことのない、１時間ごとおよび１５分ごとの自動時打ちのためのプティット・ソヌリ・モードを含む。したがって、時打ち機構１００は、プティット・ソヌリ・レバー８０であって、プティット・ソヌリ・モードを選択したとき、時間数取りカム１９０に向かって時間ラック２０が動くのをプティット・ソヌリ・レバー８０が防止する位置にプティット・ソヌリ・レバー８０の向きを合わせて、１５分ごとに時間が時打ちされるのを防止するため、選択器機構９のカム９０に備わったカムピン９７を順番に圧迫することにより協働するように配列されたプティット・ソヌリ・レバー８０を含む。
【００４０】
この同じ配列で、グランド・ソヌリ・モードを選択したとき、カムピン９７は、１５分ごとに自動的に正時を時打ちすることができるようにするために、プティット・ソヌリ・レバー８０により時間ラック２０が時間数取りカム１９０に向かって動くことができるようになる別の位置にプティット・ソヌリ・レバー８０の向きを合わせる。
【００４１】
１時間と１５分の自動時打ちを区別するために、時打ち機構１００は、有利には、出力３により駆動され、かつ１５分で時打ちを自動的に解除するように配列された４歯星車（１３０）の同軸上に、プティット・ソヌリ・レバー８０を持ち上げて、時間ラック２０が時間数取りカム１９０に向かって動くことができるようになるように配列された先端部１３２を備える涙形時間カム１３１を備える。
【００４２】
モード選択器機構９の動作は、ミニッツリピーターの動作を妨げず、特にサイレントモードでは、有利には、利用可能なエネルギーの量が時打ち機能が完了することを確実にするのに不十分である場合にあらゆる時打ち機能の遂行を防止するように配列された特定の停止機能を時打ち機構１００が含むときを除き、時打ち機構１００は、この場合有利には、再始動時に衝突の引き起こしにつながりうる、特定の歯車セットが停止することで発生する危険を避けるため、あらゆる時打ち機能の遂行を防止するように配列された停止機構５を備える。ミニッツリピーターの動作もさらに禁止されるのは、停止機能が作動されたときだけである。
【００４３】
この停止機構５は、利用可能なエネルギーが時打ち機能を完了するのに不十分であるとき、時打ち逆転レバー５９を枢動するように配列される。この時打ち逆転レバー５９は、利用可能なエネルギーが時打ち機能を完了するのに不十分であるとき、爪ラチェット２２にリピーターこはぜ４０が到達するのを防止するように、かつ利用可能なエネルギーが時打ち機能を完了するのに不十分であるとき、爪ラチェット２２から離して主こはぜ８５を動かすように構成された時打ち解放レバー５５の枢動を制御する。
【００４４】
モード選択器機構９は、好ましくは、従来技術で標準的な、ウオッチケース上のノッチシステムの使用を避けるように設計され、この目的を達成するために、選択器レバー９６は、有利には、詳細には図で確認されるような連結式接続を介して、１つのカム９０、または２つ以上存在するときには複数のカム９０の枢動を制御する。より詳細には、カムジャンパー９１であって、カムジャンパー９１を所定の位置に保持するためのカムジャンパーばね９２に関連する、カムジャンパー９１は、カム９０のノッチの１つと協働する選択器フィンガー９９を含む。このジャンパー９１およびそのばね９２は、二重の機能を有しており、ユーザがノッチの変化を感じることができるようにし、かつモードの１つに対応する明確な位置に戻り、中間の位置には決して戻らないことによって、選択操作が完了したという確信を与える。有利には、ばね９２は、安全性を確実にするために、特に、ウオッチケース内のガスケットの摩擦力に打ち勝つために、必要以上に大きくなっている。
【００４５】
このカム９０はまた、プティット・ソヌリ・レバー２０のための停止具を形成するように配列されたカムピン９７を含み、この機能については、本明細書で説明する。モード選択ノッチに加えて、カム９０は、有利には、消音レバー６０のビーク６１と協働するように構成された少なくとも２つのフィーラーアーム支持領域と、サイレントモードに対応するより大きな半径９８Ｓの領域と、停止機能およびグランド・ソヌリ・モードが存在するとき、グランド・ソヌリ・モードの停止に対応するより小さな半径９８ＡＧＳの領域とを含む、連続する外部輪郭９８を備える。
【００４６】
モード選択機構９を、異なる時打ち機構のために使用することができる。モード選択機構９と、ミニッツリピーター機構を含む時打ち機構１００の従来の構成要素との相互影響について、以下で詳述する特定の配列で示し、機械式ウオッチまたは時計のための時打ち機構を専門とする当業者は、変形形態を提示する任意の機構に時打ち機構を置き換える方法を知っている。
【００４７】
この時打ち機構１００を、最初に停止機構なしに示す。
【００４８】
図１および図２は、正時を経過時に時打ちし、また１５分ごと経過時に１５分のみ時打ちするプティット・ソヌリ・ノッチ９３に対応する間欠駆動位置にあるモード選択器機構９を示す。動作の説明を簡略化するために、通常のクオーターラックおよびクオーター数取りカムを示していない。
【００４９】
基準歯車セット１の近傍に配列された星形歯車１３０は、時打ち解除送り爪７０に備わったビーク７２、特に弾性のあるビークと、１５分ごとに協働するように動くように配列される。
【００５０】
このクオーターラック２０は、時間数取りカム１９０を感じるように配列されたフィーラーアーム２９、および時打ち駆動歯車セット２に備わった繰返しラックピニオン２４と協働するように配列されたラック２５を含む。フィーラーアーム２９に対して後方に置かれた時間ラック２０は、平坦な当接部分２７内でフィーラーアーム２９と同じ側で終わるリブ２３をさらに含む。
【００５１】
時打ち駆動歯車セット２は、従来の手法では、主時打ちこはぜ８５と協働するように、またはピン４１を具備し、かつミニッツリピーター制御機器４に備わったミニッツリピーター解除こはぜ４０と協働するように配列された爪ラチェット２２を含み、このミニッツリピーター解除こはぜ４０は、ばね４３と協働する。
【００５２】
時打ち解除送り爪７０の枢動は、ムーブメントによる解除のためにレバー５０の枢動を引き起こし、ムーブメントは推力ばね５２を支え、推力ばね５２は主時打ちこはぜ８５に載り、主時打ちこはぜ８５は、同じく解除レバー５０により支えられる。
【００５３】
従来のプティット・ソヌリ・レバー８０は、ドテピン８２を支える。プレートに固定された解放ばね８３により戻されるこのプティット・ソヌリ・レバー８０は、カム９０に備わったカムピン９７に載るように配列された解放ビーク８１を含む。
【００５４】
プティット・ソヌリ・レバー８０は、時間ラック２０が角度移動する間、時間ラック２０と対向し、ドテピン８２は、同じ半径上で時間ラック２０のリブ２３の高さにあり、これにより、ドテピン８２が、時間ラック２０の平坦部分２７との当接で協働することができるようになり、かつ時間ラック２０が時間数取りカム１９０に到達するのを防止することによって時間ラック２０を動けなくできるようになり、その結果、プティット・ソヌリ・モードに特有の動作に従って、１５分ごとに正時時打ちを繰り返さない。
【００５５】
時間が全時間で時打ちされることを確実にするために、星形歯車１３０は、涙型時間カム１３１と一体化し、涙型時間カム１３１の先端部１３２は、プティット・ソヌリ・レバー８０を、したがってそのドテピン８２を持ち上げて、時間ラック２０のフィーラーアーム２９が時間数取りカム１９０を読み取るために通過することができるようにするように配列される。
【００５６】
図３および図４は、正時を経過時に時打ちし、１５分ごと経過時に正時時打ちを繰り返しかつ１５分を時打ちするグランド・ソヌリ・ノッチ９４に対応する間欠駆動位置にあるモード選択器機構９を示す。通常のクオーターラックおよびクオーター数取りカムについては示していない。カムピン９７は、プティット・ソヌリの場合よりも、解放ビーク８１の端部から長い距離でプティット・ソヌリ・レバー８０を圧迫し、その結果として、ドテピン８２は、リブ２３の高さにも、時間ラック２０の平坦部分２７の高さにも、もはやないが、凹所２８の高さにあり、それにより、時間ラック２０が１５分ごとに時間数取りカム１９０に向かって自由に枢動することができるようになる。
【００５７】
サイレントモードでの動作については、時打ち機構１００は、本明細書で以後消音レバー６０とも呼ばれる、グランド・ソヌリおよびプティット・ソヌリのアイソレータを含み、消音レバー６０は、第１の端部に、モード選択カム９０の周辺領域９８の１つと協働するように配列された読取りビーク６１、および第２の端部６２に、主時打ちこはぜ８５に備わった主こはぜピン８６を停止させるように配列された主アーム６４を含む。この消音レバー６０は、消音レバー６０が枢動する近傍の、消音レバー６０の中央部分に消音ピン６３を含む。
【００５８】
ばね６５は、ピン６３を介して消音レバー６０を拘束し、その結果、レバーは、そのビーク６１を介してカム９０と常に接触している。選択したモードがサイレントモードであるとき、この消音レバー６０は枢動して、消音レバー６０の部分６２は、ラチェット２２からこはぜ８５を切断するように動く。カムピン９７は、プティット・ソヌリ・レバー８０の解放ビーク８１と接触している。ミニッツリピーター機能が（プティット・ソヌリ・モードで）機能している間、レバー（図示せず）は、制御機器４とレバー８０内の穴との間でリンクを形成し、その結果、時間ラック２０は、構成要素１の時間数取りカム１９０の上に収まることができる。
【００５９】
図５〜図１１に、時打ち解放レバー５５を本質的に備える停止機構５をさらに含む消音レバー６０が見える。したがって、時打ち機構１００は、部分的に重なり、かつ特有のこはぜが時打ち駆動歯車セット２のラチェット２２に到達するのを妨げるようにそれぞれ配列された、消音レバー６０および時打ち解放レバー５５を含む。実際、時打ち解放レバー５５は、ミニッツリピーター制御機器４の、ミニッツリピーター解除こはぜ４０に備わったリピーターこはぜピン４１を停止させるように配列された、停止アーム５６を含む。
【００６０】
図５〜図１１は、主こはぜ８５およびミニッツリピーター解除こはぜ４０の特定の配列を示し、主こはぜ８５およびミニッツリピーター解除こはぜ４０は両方とも、時打ち駆動歯車セット２およびそのラッチ２２の同じ側に、モード選択カム９０とラチェット２２の間に配置されている。この配列は、その容積が特に低減されたために、およびさまざまな構成要素間の距離が短いために、特に有利であり、これは、より堅いレバーを使用することができ、かつコンパクトで信頼性があり効率的でもある停止機構の設計を可能にすることを意味する。この配列は、詳細には、送り爪または第１の時打ち解除レバー７０と主こはぜ８５の間に解除レバー５０を挿入することにより可能になり、この解除レバー５０は、主こはぜ８５の連結を支え、こはぜを押しつけるはね５２を含み、ラチェット２２に対してミニッツリピーター解除こはぜ４０と同じ側に主こはぜ８５を位置決めすることができるようにし、主こはぜ８５の枢動の方向を、主こはぜ８５が送り爪７０で直接かみ合わせられる標準的組み立てと比較して逆にし、詳細には、ラチェット２２に対する主こはぜ８５の係合および離脱を正確に管理することにより、エネルギーを節約することができるようにする。より詳細には、主こはぜ８５およびミニッツリピーター解除こはぜ４０は、この新規な配列の結果として実質的に整列し、消音レバー６０および時打ち解放レバー５５はほとんど同一直線上に重なることができ、それにより、構成要素の数およびこれらの構成要素の操縦移動が低減されることで、時打ち機能の制御および停止がかなり簡略化される。
【００６１】
図５および図６は、サイレント・モード・ノッチ９５に対応する間欠駆動位置にあるモード選択器９を示し、プティット・ソヌリ機構およびグランド・ソヌリ機構の連結はないが、ミニッツリピーターを動作させることは可能である。消音レバー６０の読取りビーク６１は、カム９０の周辺肩部９８の最大半径９８Ｓに載り、その結果として、一方では、プティット・ソヌリ・レバー８０は、カムピン９７およびばね６７により停止し、他方では、消音レバー６０の主アーム６４は、時打ち駆動歯車セット２から最も遠い位置にあり、主こはぜピン８６を停止させる。他方では、この端部位置をふさぐものは何もないので、時打ち解放レバー５５は、時打ち駆動歯車セット２に非常に近接し、その結果として、ミニッツリピーター解除こはぜ４０は、妨げられず、爪ラチェット２２に到達でき、したがって、ユーザが望むようにミニッツリピーターを動作させることができる。
【００６２】
図７および図８は、グランド・ソヌリ・モードで停止した状態を示し、グランド・ソヌリ・ノッチ９４に対応する間欠駆動位置にあるモード選択器９を示す。停止機構５は、１つまたは複数の香箱などが利用できるエネルギーの量が不十分であるとき、すべてのこはぜの連結を解くように配列される。このとき、消音レバー６０の読取りビーク６１は、カム９０の周辺肩部９８の最小半径９８ＡＧＳに載り、消音レバー６０の第２の端部６２で、消音レバー６０の主アーム６４は、時打ち駆動歯車セット２に最も近い位置にあり、主こはぜピン８６を停止させることができない。他方では、時打ち解放レバー５５は、時打ち駆動歯車セット２から最も遠い位置にあり、その結果として、主こはぜ８５の主ピンク８６とリピーターこはぜピンク４１の両方を妨げて、したがって、主こはぜ８５およびミニッツリピーター解除こはぜ４０は、妨げられ、爪ラチェット２２に到達できない。ユーザは、ミニッツリピーターを作動させることができない。したがって、時打ち機能を全く作動させることができない。モード選択レバー９６が別の位置に動くのを防止するものは何もない。
【００６３】
図９〜図１１は、サイレントモードで停止した状態を示し、サイレント・モード・ノッチ９５に対応する間欠駆動位置にあるモード選択器９を示す。これらの図は、時打ち解放レバー５５の連結式制御のための動作ボルト５９を示す。消音レバー６０の読取りビーク６１は、カム９０の周辺肩部９８の最大半径９８Ｓに載り、消音レバー６０の主アーム６４は、時打ち駆動歯車セット２から最も遠い位置にあり、主こはぜピン８６を停止させる。時打ち解放レバー５５はまた、時打ち駆動歯車セット２から最も遠い位置にあり、リピーターこはぜピンク４１を妨げる。したがって、主こはぜ８５およびミニッツリピーター解除こはぜ４０は、妨げられ、爪ラチェット２２に到達できない。
【００６４】
停止機構は十分なエネルギーがないときだけ作動すること、およびそうではない場合、この停止機構は切断されることは明らかである。
【００６５】
図１３〜図１９は、プティット・ソヌリ・モードで第１の曲を、グランド・ソヌリ・モードで第１の曲と異なる第２の曲を再生することができるようにする、本発明による時打ち選択およびモード選択を組み合わせる時打ち機構の第１の変形形態を示す。
【００６６】
図２０〜図２９は、本発明による、時打ち選択およびモード選択を組み合わせる時打ち機構の第２の変形形態を示し、一方または他方により、各時打ちモードで第１の曲または第２の曲を再生することができるようになる。
【００６７】
唯一の制限は、ウオッチまたは音楽時計内部の利用可能な空間に関する制限であることが理解され、これらの第１および第２の変形形態はそれぞれ、本明細書では２つの曲を用いて示されているが、時打ち機構は、同じ出願人による欧州特許第２９４７５２３（Ｂ１）号明細書、ならびに同じ出願人による欧州特許出願公開第１５１９０８０８．４号明細書、欧州特許出願公開第１５１６８７００．１号明細書、欧州特許出願公開第１５１８３１１０．４号明細書、および欧州特許出願公開第１６２０６５７２．６号明細書の教示と組み合わせて、より多くの曲を再生することができる、または異なる組のゴングまたはチャイムに関する曲を区別することができ、これらの特許および特許出願の詳細については、本明細書で繰り返さない。同様に、１つの平面内の同軸カムおよび／または並置カムによりモード選択を遂行することができる。
【００６８】
第１の変形形態は、第１の曲レバー１０３および第２の曲レバー１０４と協働する曲選択カム１０１を含み、第１の曲レバー１０３および第２の曲レバー１０４はさらにまた、異なる送り爪１０７を制御するように配列された曲選択器１０６と協働する。これらのレバー１０３および１０４の各々は、曲選択カム１０１の周辺を越えて伸びている中間フィーラービークを含む。曲選択カム１０１は、曲選択フィーラーアーム１０５のフォーク１０５０を駆動するピン１０１０を含み、曲選択フィーラーアーム１０５のフィンガー１０５１の１つは、モードによる曲選択カム１０２の周辺と協働する。モードによる曲選択カム１０２は、この場合、曲選択カム１０１と同じ平面内にある。
【００６９】
第２の変形形態は、類似の手法で、第１の曲レバー１０３および第２の曲レバー１０４を含み、第１の曲レバー１０３および第２の曲レバー１０４は、さまざまな送り爪１０７を制御するように配列された曲選択器１０６と協働する。
【００７０】
モードおよび曲の選択は、この場合、他方の最上部に一方が積み重なったいくつかのカムを含む制御歯車セット１１０により制御される。
【００７１】
下方の階層では、第１のカム１１１は、上記で示したカム９０に類似し、ジャンパーノッチ１１２、および周辺外郭１１３によるプティット・ソヌリ・モード、グランド・ソヌリ・モード、およびサイレントモードの制御を含み、ミニッツリピーター機能と自動時打ちとの間のあらゆる干渉を防止するように配列された自動時打ちアイソレータ１０９のビーク１０９０が続く。
【００７２】
レバー１０３および１０４の各々は、それぞれ第１の曲を制御する第１のカム１１４および第２の曲を制御する第２のカム１１５の周辺を越えて伸びる中間フィーラービークを含む。
【００７３】
この制御歯車セット１１０は、非常にコンパクトであり、時打ち歯車セット２よりも少ない高さ空間を使用する。
【００７４】
これらの異なる変形形態は、多くの共通構成要素を使用し、それにより、大きな複雑機構につきものの高いコストが低減されることが理解される。
【００７５】
したがって、本発明は、さまざまな差別化された時打ち機能を作成する可能性を提供するものであり、これらの時打ち機能は、たとえば昼／夜、午前／午後、毎週の非勤務日、またはそうでない場合に自動時打ちを行うよう、ウオッチもしくは時計のムーブメント２００により制御される、またはユーザがふさわしいと思うときにユーザにより制御される。
【００７６】
本発明はまた、ムーブメントにより自動時打ち機能を解除するための出力３を含むムーブメント２００を備えるウオッチ１０００に関し、このムーブメント２００は、少なくとも１つの基準歯車セット１を駆動するように配列され、ウオッチ１０００は、少なくとも１つのそのような時打ち機構１００を含む。
【００７７】
本発明はまた、ムーブメントにより自動時打ち機能を解除するための出力３を含むムーブメント２００を備える時計２０００に関し、このムーブメント２００は、少なくとも１つの基準歯車セット１を駆動するように配列され、時計２０００は、少なくとも１つのそのような時打ち機構１００を含む。
【符号の説明】
【００７８】
１  基準歯車セット
２  時打ち駆動歯車セット
３  ムーブメントの特有の出力
４  ミニッツリピーター制御機器
５  停止機構
９  モード選択器機構
２０  時間ラック
２２  爪ラチェット
２３  リブ
２４  繰返しラックピニオン
２５  ラック
２７  平坦な当接部分
２８  凹所
２９  フィーラーアーム
４０  リピーターこはぜ
４１  リピーターこはぜピン
４３  ばね
５０  解除レバー
５２  推力ばね
５５  時打ち解放レバー
５６  停止アーム
５９  時打ち逆転レバー
６０  消音レバー
６１  読取りビーク
６２  消音レバーの第２の端部
６３  消音ピン
６４  主アーム
６５  ばね
６７  ばね
７０  送り爪
７２  ビーク
８０  プティット・ソヌリ・レバー
８１  解放ビーク
８２  ドテピン
８３  解放ばね
８５  主こはぜ
８６  主こはぜピン
９０  カム、平坦カム
９１  カムジャンパー
９２  カムジャンパーばね
９３  プティット・ソヌリ・モード、プティット・ソヌリ・ノッチ
９４  グランド・ソヌリ・モード、グランド・ソヌリ・ノッチ
９５  サイレント・ソヌリ・モード、サイレント・ソヌリ・ノッチ
９６  ユーザが利用可能な選択器
９７  カムピン
９８  連続した外部フィーラーアーム支持輪郭
９８ＡＧＳ  より小さな半径
９８Ｓ  より大きな半径
９９  選択器フィンガー
１００  時打ち機構
１０１  曲選択カム
１０２  モードによる曲選択カム
１０３  第１の曲レバー
１０４  第２の曲レバー
１０５  曲選択フィーラーアーム
１０６  曲選択器
１０９  自動時打ちアイソレータ
１１０  制御歯車セット
１１１  第１のカム
１１２  ジャンパーノッチ
１１３  周辺外郭
１１４  第１の曲を制御する第１のカム
１１５  第２の曲を制御する第２のカム
１３０  星車、星形歯車
１３１  涙形時間カム
１３２  先端部
１９０  時間数取りカム
２００  ムーブメント
１０００  ウオッチ
１０１０  曲選択フィーラーアームのフォークを駆動するピン
１０５０  曲選択フィーラーアームのフォーク
１０５１  曲選択フィーラーアームのフィンガー
１０９０  自動時打ちアイソレータのビーク
２０００  時計
【図１】
2019053039.tif 000003
【図２】
2019053039.tif 000004
【図３】
2019053039.tif 000005
【図４】
2019053039.tif 000006
【図５】
2019053039.tif 000007
【図６】
2019053039.tif 000008
【図７】
2019053039.tif 000009
【図８】
2019053039.tif 000010
【図９】
2019053039.tif 000011
【図１０】
2019053039.tif 000012
【図１１】
2019053039.tif 000013
【図１２】
2019053039.tif 000014
【図１３】
2019053039.tif 000015
【図１４】
2019053039.tif 000016
【図１５】
2019053039.tif 000017
【図１６】
2019053039.tif 000018
【図１７】
2019053039.tif 000019
【図１８】
2019053039.tif 000020
【図１９】
2019053039.tif 000021
【図２０】
2019053039.tif 000022
【図２１】
2019053039.tif 000023
【図２２】
2019053039.tif 000024
【図２３】
2019053039.tif 000025
【図２４】
2019053039.tif 000026
【図２５】
2019053039.tif 000027
【図２６】
2019053039.tif 000028
【図２７】
2019053039.tif 000029
【図２８】
2019053039.tif 000030
【図２９】
2019053039.tif 000031
【図３０】
2019053039.tif 000032
【図３１】
2019053039.tif 000033
【図３２】
2019053039.tif 000034
【外国語明細書】
2019053039000001.pdf